(57)【要約】【課題】  自発・停型発電機と給排水ポンプの水位感知制御による自動運転装置において、エネルギーの無駄を排除して効率的な自動運転を可能にすると共に、給排水ポンプの感知装置の正確性を向上させ、更には給排水ポンプの機能の維持を図ることを目的とする。【解決手段】  給排水ポンプ１とその動力源の自発・停型発電機３により構成され、給排水ポンプ１にその稼動を制御する水位感知装置２が付設されると共に、この水位感知装置２と自発・停型発電機３の制御盤４とも連繋したことを特徴とする【選択図】  図１
0003126632.tif 000002
【実用新案登録請求の範囲】
【請求項１】
給排水ポンプとその動力源の発電機により構成され、給排水ポンプにその稼動を制御する水位感知装置が付設されると共に、この水位感知装置と自発・停型発電機の制御盤とも連繋したことを特徴とする自発・停型発電機と給排水ポンプの水位感知制御による自動運転装置。
【請求項２】
コードの先端に連結した感知フロートが浮遊するフロート室を形成し、このフロート室を形成する壁面に流入水量を制限する流入孔を設けた水位感知装置としたことを特徴とする請求項１記載の自発・停型発電機と給排水ポンプの水位感知制御による自動運転装置。
【請求項３】
フロート室に、コードの左右動規制手段を設けた水位感知装置としたことを特徴とする請求項２記載の自発・停型発電機と給排水ポンプの水位感知制御による自動運転装置。
【請求項４】
給排水ポンプのストレーナの周囲に側面を縦桟で形成した防護体を設けたことを特徴とする請求項１、２又は３記載の自発・停型発電機と給排水ポンプの水位感知制御による自動運転装置。
【考案の詳細な説明】
【技術分野】
【０００１】
本考案は、自発・停型発電機を始動・停止して給排水ポンプの駆動源とすると共に、設定した位置の範囲で給排水ポンプの自動運転する装置に関するものである。
【背景技術】
【０００２】
給排水ポンプの電源として発電機を使用することが前提と成っている自動運転装置において、発電機の稼働を時間設定したり、連続稼働とする等の制御を可能とする自発・停型発電機を用いる場合がある。
時間設定は、例えば午前８時から午後６時までのように、関係する工事作業等に合わせて設定するものである。
【０００３】
一方、給排水ポンプにおいても、一定の水量の範囲で給排水を行うべく、水量の上限と下限を感知して稼働・停止を制御する感知式としているものがある。
そして、上限・下限感知式ポンプは、自由に浮遊できるコードの先端に感知フロートを連結した構成となっている。
【考案の開示】
【考案が解決しようとする課題】
【０００４】
自発・停型発電機の稼働を時間設定をしても、感知式の給排水ポンプの停止時には不必要な発電エネルギーの消費が発生し、また、時間設定外の時間帯では稼働の必要な水量に達していても給排水ポンプは稼働できず、不慮の事態に対応できない問題がある。
【０００５】
そして、自由に浮遊できるコードの先端に感知フロートを連結し、感知フロートが水量に応じて上下に揺動して水量を感知し、給排水ポンプへ信号を送る構成となっている感知装置においては、水量が多いと下流側に流されたり、抵抗によってフロートスイッチが左右に振れ、波が大きい場合はチャタリング現象が発生して正確な感知を得られない事態となる。
【０００６】
さらに、一般に市販されている給排水ポンプの吸入口は、透孔を多数設けたキャップを嵌着したものが多く、ゴミや異物で吸入口を塞いで給排水量の低下や給排水ポンプの故障原因にもなる虞がある。
【０００７】
本考案は、斯かる点に鑑みエネルギーの無駄を排除して効率的な自動運転を可能にすると共に、給排水ポンプの感知装置の正確性を向上させ、更には給排水ポンプの機能の維持を図ることを目的とするものである。
【課題を解決するための手段】
【０００８】
本考案の自発・停型発電機と給排水ポンプの水位感知制御による自動運転装置は、給排水ポンプとその動力源の自発・停型発電機により構成され、給排水ポンプにその稼動を制御する水位感知装置が付設されると共に、この水位感知装置と発電機の制御盤とも連繋したことを特徴とするものである。
【０００９】
また、請求項２は、コードの先端に連結した感知フロートが浮遊するフロート室を形成し、このフロート室を形成する壁面に流入水量を制限する流入孔を設けた水位感知装置としたことを特徴とするものである。
【００１０】
請求項３は、フロート室に、コードの左右動規制手段を設けた水位感知装置としたことを特徴とし、請求項４は、給排水ポンプのストレーナの周囲に側面を縦桟で形成した防護体を設けたことを特徴とするものである。
【考案の効果】
【００１１】
本考案は、給排水ポンプにその稼動を制御する水位感知装置が付設されると共に、この水位感知装置と自発・停型発電機の制御盤とも連繋したため、水位感知装置により給排水ポンプの稼働を開始、維持及び停止する時は、自発・停型発電機の稼働も同時に開始、維持及び停止して制御するものとなり、常に互いに連動して稼働してエネルギーの不要な消費を無くす効果を得られるものである。
また、自発・停型発電機の時間設定も不要となり、不慮の事態にも対応できる効果を有するものである。
【００１２】
請求項２の考案は、コードの先端に連結した感知フロートが浮遊するフロート室を形成し、このフロート室を形成する壁面に流入水量を制限する流入孔を設けた水位感知装置としたため、水位感知装置の特定空間のフロート室に感知フロートが隔離され、水量や波等に直接影響されるのを回避できる効果があり、正確な感知を期待でき、流入口から制限しながら水の流入を得られ水位の確保も行えるものである。
【００１３】
請求項３の考案は、フロート室に、コードの左右動規制手段を設けた水位感知装置としたため、感知フロートが左右に振れられることなく、上下方向にのみ水位によって昇降するものとなり、正確な水位感知を期待できる効果を発揮する。
【００１４】
請求項４の考案は、給排水ポンプのストレーナの周囲に側面を縦桟で形成した防護体を設けたため、ゴミや異物が給排水ポンプのストレーナの周囲に侵入するのを防護体が防止して、給排水ポンプの吸入口を塞いで給排水量の低下や給排水ポンプの故障原因を解消するものであり、防護体の側面を縦桟で形成したため、水面に浮遊するゴミ等の侵入を阻止し付着した物の除去も容易である効果を有する。
【考案を実施するための最良の形態】
【００１５】
次に本考案の実施の形態を図面に基づいて説明する。
図１は、本考案の一実施の形態を示す構成図であり、給排水ポンプ１、水位感知装置２、自発・停型発電機３及び制御盤４からなり、給排水ポンプ１の電源として自発・停型発電機３を用いている。
【００１６】
水位感知装置２のフロート室５に感知フロート６が浮遊し、感知フロート６はフロ−トケーブル８に連なるコード７の先端に連結している。
感知フロート６は水位の高低により昇降して設定された上下位置で感知信号を発信し、コード７、フロートケーブル８で連繋する制御盤４の制御スイッチ９に伝え、この制御スイッチ９はポンプケーブル１０及び電源ケーブル１１で夫々給排水ポンプ１と自発・停型発電機３に連繋している。
【００１７】
したがって、感知フロート６で感知した水位により給排水ポンプ１と自発・停型発電機３を関連付けて稼働・停止の制御をすることができ、自発・停型発電機３の稼働を必要時にのみとすることになる。
図２は、複数の給排水ポンプを制御するように結線した一例であり、通常のメ−ンポンプとしての機能が失われたり、急激な増水で排水能力を超えた場合等に２次、３次の給排水ポンプを稼働させて安全を確保することにも利用できる。
【００１８】
表１は従来の連続運転と本発明の自動運転を行った場合の自発・停型発電機について、燃費を比較したものである。
【表１】
0003126632.tif 000003
【００１９】
図３は、フロート室５の一実施の形態を示す側面図、図４は同横断平面図であり、フロート室５の側壁に感知する用水の流入口１２、１２、１２・・・を上下に平均して設け、フロート室５内の水位が設置用水と同等になるようにすると共に、室内に左右動規制手段１３、１３を並設し、その並設空間内で上下方向にのみコード７が振幅するように規制し、用水の流速等の直接的影響を避けて、感知フロート６が左右に振れられることなく正確な水位感知を出来るようにしている。
【００２０】
図５は、給排水ポンプ１のストレーナのゴミや異物の詰まり防止用に設置する防護体１４の斜視図であり、上下は強度を有する板体１５、１５とし、側周面に縦桟１６を適宜間隔で配設して形成したものである。
水位の高低に対して縦桟１６が有効に対応し、例えば掃除用の熊手の爪で異物を能率よく除去できるものであり、その幅を考慮して縦桟１６の間隔を定めるのもよい。
【図面の簡単な説明】
【００２１】
【図１】本考案の一実施の形態を示す構成図である。
【図２】複数の給排水ポンプを制御するように結線した一例を示す構成図である。
【図３】フロート室の一実施の形態を示す側面図である。
【図４】フロート室の一実施の形態を示す図３の指示線横断平面図である。
【図５】防護体の斜視図である。
【符号の説明】
【００２２】
１    給排水ポンプ
２    水位感知装置
３    自発・停型発電機
４    制御盤
５    フロート室
６    感知フロート
７    コード
８    フロートケーブル
９    制御スイッチ
１０    ポンプケーブル
１１    電源ケーブル
１２    流入口
１３    左右動規制手段
１４    防護体
１５    板体
１６    縦桟
【図１】
0003126632.tif 000004
【図２】
0003126632.tif 000005
【図３】
0003126632.tif 000006
【図４】
0003126632.tif 000007
【図５】
0003126632.tif 000008